(57)【要約】【課題】従来のノート類とほぼ同程度の製造コストでツインリングの端に他物が引っ掛かりにくく安全なノート類を提供することにある。【解決手段】一辺に沿って複数の綴じ孔が形成された表紙２ｂと、表紙２ｂと整合する同数の綴じ孔が形成された複数の中紙３と、１本の線材からなり前記綴じ孔と整合する同数の環状部を有し環状部を綴じ孔に挿入することにより表紙２ｂ及び中紙３を綴じるツインリング５とを備えたノート１において、中紙３のうち最も表紙２ｂに近い一枚と表紙２ｂとの間に介在し、表紙２ｂ及び中紙３とともにツインリング５で綴じられたシート４を備え、シート４がツインリング５の両端を表紙２ｂと挟んだ状態で表紙２ｂに固着されていることを特徴とする。【選択図】図１
2009202354.tif 000002
【特許請求の範囲】
【請求項１】
一辺に沿って複数の綴じ孔が形成された表紙と、前記表紙と整合する同数の綴じ孔が形成された複数の中紙と、１本の線材からなり前記綴じ孔と整合する同数の環状部を有し環状部を綴じ孔に挿入することにより表紙及び中紙を綴じるツインリングとを備えたノート類において、
前記中紙のうち最も表紙に近い一枚と表紙との間に介在し、表紙及び中紙とともに前記ツインリングで綴じられたシートを備え、シートがツインリングの両端を前記表紙と挟んだ状態で前記表紙に固着されていることを特徴とするノート類。
【発明の詳細な説明】
【技術分野】
【０００１】
この発明は、ツインリングで綴じられたノート類に関する。
【背景技術】
【０００２】
ノート類の綴じ具として、スパイラルリングとツインリング（特許文献１）とが汎用されている。スパイラルリングは、一本の線材を軸方向に螺旋状に形成してなるものである。ツインリングは、一本の線材を軸方向に規則的な間隔をおいて軸と直交する方向に往復するように折り曲げ、複数の往復部分を一組として組と組との間の軸方向に延びる部分で切断し、往復部分を更に環状に曲げ加工してなるものである。このうち、ツインリングは、ノート類を見開き状態としたときに左右のページの上下位置が一致している点で、スパイラルリングよりも使いやすい。
ツインリングは、軸方向に延びる部分で線材を切断して得られるものであることから、両端がそれぞれノート類の上端及び下端に向かって突出し、他物が引っかかったり、乳幼児が怪我をしたりするおそれがある。そこで、ツインリングの端を引っ掛かり防止形状に加工することが提案されている（特許文献２）。
【特許文献１】特許第３４５８７９９号公報
【特許文献２】特開２００３−２５７８１号公報
【発明の開示】
【発明が解決しようとする課題】
【０００３】
しかし、特許文献２に記載の技術では、各ツインリング毎に両端を加工しなければならず、ノート類の製造コストが著しく高くなる。
それ故、この発明の課題は、従来のノート類とほぼ同程度の製造コストでツインリングの端に他物が引っ掛かりにくく安全なノート類を提供することにある。
【課題を解決するための手段】
【０００４】
その課題を解決するために、この発明のノート類は、
一辺に沿って複数の綴じ孔が形成された表紙と、前記表紙と整合する同数の綴じ孔が形成された複数の中紙と、１本の線材からなり前記綴じ孔と整合する同数の環状部を有し環状部を綴じ孔に挿入することにより表紙及び中紙を綴じるツインリングとを備えたノート類において、
前記中紙のうち最も表紙に近い一枚と表紙との間に介在し、表紙及び中紙とともに前記ツインリングで綴じられたシートを備え、シートがツインリングの両端を前記表紙と挟んだ状態で前記表紙に固着されていることを特徴とする。
【０００５】
この発明のノート類によれば、シートがツインリングの両端を表紙と挟んだ状態で表紙に固着されているので、ツインリングの両端がシートで覆われている。従って、ツインリングの端に他物が引っ掛かることが無い。また、シートは表紙や中紙と整合する綴じ孔を有するものであればよいから、表紙や中紙の綴じ孔を打ち抜く型を併用することができる。
【発明の効果】
【０００６】
ツインリングの両端を特別に加工しなくてもツインリングの端に他物が引っ掛かることが無いし、シートは表紙や中紙の綴じ孔を打ち抜く型を併用して加工可能であるから、従来のノート類とほぼ同程度のコストで安全なノート類を提供することができる。
【発明を実施するための最良の形態】
【０００７】
以下、この発明を図面の実施形態に基づいて具体的に説明する。図１は実施形態に係るノートを示す斜視図、図２はツインリングを軸回りに回転させた状態のノートを示す斜視図である。図３は実施形態に係るノートの製造過程の中間段階を示し、（ａ）は要部平面図、（ｂ）は（ａ）のＢＢ断面図である。図４は実施形態に係るノートの製造過程の中間段階を示し、（ａ）は要部平面図、（ｂ）は（ａ）のＢＢ断面図である。
【０００８】
ノート１は、厚紙からなる二枚の表紙２ａ、２ｂと、普通紙からなる多数枚の中紙３、３・・・３と、紙製もしくは樹脂製の一枚のシート４と、一本のツインリング５とを備える。シート４は、平面視で中紙３と同じ大きさで表紙２ａ、２ｂよりも薄く、中紙３よりも厚い。また、表紙２ａ、２ｂには一辺に沿って規則的な間隔ｄをおいて多数の方形の綴じ孔６、６・・・６がパンチングにて開けられており、中紙３及びシート４にも同数の綴じ孔が同じ位置に形成されている。ツインリング５は、一本の金属線材を軸方向に表紙２と同様に間隔ｄをおいて軸と直交する方向に往復するように折り曲げ、綴じ孔と同数の往復部分を一組として組と組との間の軸方向に延びる部分で切断し、往復部分を更に環状に曲げ加工することによって得られたものである。
【０００９】
ノート１は、表紙２ａ、２ｂの間にシート４を介在させ、一方の表紙２ａとシート４とで全ての中紙３を挟んだ状態で、ツインリング５の環状部を各々綴じ孔に挿入することにより、綴じられている。そして、シート４とシート４に近い表紙２ｂとは、ツインリング５の端５１を挟んだ状態で互いに接着されている。
【００１０】
このノート１によれば、ツインリング５の端５１がシート４で覆われているので、ツインリングの端５１に他物が引っ掛かることが無い。そして、シート４は表紙２ａ、２ｂや中紙３と整合する綴じ孔を有するものであればよいから、表紙２ａ、２ｂや中紙３の綴じ孔を打ち抜く型を併用することができ、シート４の有無によって製造コストが変わることはない。
尚、図示の形態ではシート４は、平面視で中紙３と同じ大きさ且つ同じ形状を有するが、表紙２ａ、２ｂや中紙３と整合する綴じ孔を有するものであればよい。例えばシート４は、、表紙２ａ、２ｂの裏面の意匠を損なわないように、綴じ孔の配列方向と直交する方向の幅が中紙３よりもはるかに小さくてもよい。
【図面の簡単な説明】
【００１１】
【図１】実施形態に係るノートを示す斜視図
【図２】ツインリングを軸回りに回転させた状態のノートを示す斜視図である。
【図３】実施形態に係るノートの製造過程の中間段階を示し、（ａ）は要部平面図、（ｂ）は（ａ）のＢＢ断面図である。
【図４】実施形態に係るノートの製造過程の中間段階を示し、（ａ）は要部平面図、（ｂ）は（ａ）のＢＢ断面図である。
【符号の説明】
【００１２】
１  ノート
２ａ、２ｂ  表紙
３  中紙
４  シート
５  ツインリング
【図１】
2009202354.tif 000003
【図２】
2009202354.tif 000004
【図３】
2009202354.tif 000005
【図４】
2009202354.tif 000006